(57)【特許請求の範囲】
【請求項１】
第１の基板と第２の基板との間に液晶材料を封入した液晶表示パネルを有し、
前記第１の基板は、複数本の走査信号線、複数本の映像信号線、複数個のＴＦＴ素子、複数個の画素電極、複数個の共通電極およびドライバを有し、
前記液晶表示パネルは、前記ＴＦＴ素子および前記画素電極を有する画素の集合で設定される１つの表示領域を有する液晶表示装置であって、
前記１つの表示領域は、前記走査信号線の延在方向と一致する境界線により第１の表示領域と第２の表示領域に分割されており、
前記第１の表示領域に属する画素の前記ＴＦＴ素子のソースまたはドレインが接続している映像信号線と、前記第２の表示領域に属する画素の前記ＴＦＴ素子のソースまたはドレインが接続している映像信号線とは、電気的に絶縁されており、
前記第１の表示領域において前記映像信号線の延在方向に沿って並んだ複数個の画素の列、および前記第２の表示領域において前記映像信号線の延在方向に沿って並んだ複数個の画素の列には、それぞれ、２本の隣接する映像信号線のうちの一方の映像信号線に前記ＴＦＴ素子のソースまたはドレインが接続している画素と、前記２本の隣接する映像信号線のうちの他方の映像信号線に前記ＴＦＴ素子のソースまたはドレインが接続している画素とが、交互に並んでおり、
前記境界線を挟んで対向する二つの前記対向電極を接続し、前記対向電極と一体形成される接続部を含み、
前記第１の表示領域または前記第２の表示領域のいずれか一方に含まれる二つの前記対向電極を、スルーホールを介して接続するブリッジ配線を含むことを特徴とする液晶表示装置。
【請求項２】
前記境界線を挟んで隣接する前記第１の表示領域に属する画素と前記第２の表示領域に属する画素とは、前記第１の基板上における当該各画素の前記ＴＦＴ素子および前記画素電極の配置位置の関係が、前記境界線を対称軸とする線対称の関係になっていることを特徴とする請求項１に記載の液晶表示装置。
【請求項３】
前記ドライバは、前記第１の表示領域を通る複数本の映像信号線、および前記第２の表示領域を通る複数本の映像信号線に、それぞれ、１フレーム期間中、常に同じ極性の信号を加え、
１フレーム期間中に前記第１の表示領域を通る複数本の映像信号線、および前記第２の表示領域を通る複数本の映像信号線に加える前記信号は、それぞれ、同じ表示領域において隣接する２本の映像信号線に加える信号の極性が互いに反対の極性であり、かつ、
前記境界線を挟んで対向する２本の映像信号線に加える信号の極性が互いに反対の極性であることを特徴とする請求項２に記載の液晶表示装置。
【請求項４】
前記境界線を挟んで隣接する前記第１の表示領域に属する画素と前記第２の表示領域に属する画素とは、前記第１の基板上における当該各画素の前記ＴＦＴ素子および前記画素電極の配置位置の関係が、前記境界線のうちの当該２つの画素を分割する線分の中心を対称の中心とする点対称の関係になっていることを特徴とする請求項１に記載の液晶表示装置。
【請求項５】
前記ドライバは、前記第１の表示領域を通る複数本の映像信号線、および前記第２の表示領域を通る複数本の映像信号線に、それぞれ、１フレーム期間中、常に同じ極性の信号を加え、
１フレーム期間中に前記第１の表示領域を通る複数本の映像信号線、および前記第２の表示領域を通る複数本の映像信号線に加える前記信号は、それぞれ、同じ表示領域において隣接する２本の映像信号線に加える信号の極性が互いに反対の極性であり、かつ、
前記境界線を挟んで対向する２本の映像信号線に加える信号の極性が同じ極性であることを特徴とする請求項４に記載の液晶表示装置。
【請求項６】
前記第１の表示領域に属する画素の前記ＴＦＴ素子のゲート、および前記第２の表示領域に属する画素の前記ＴＦＴ素子のゲートは、それぞれ、当該画素の画素電極よりも、前記ＴＦＴ素子のソースまたはドレインが接続している映像信号線の信号入力端側に位置する走査信号線に接続していることを特徴とする請求項１乃至請求項５のいずれか１項に記載の液晶表示装置。
【請求項７】
前記第２の基板は、前記第１の基板の前記複数本の走査信号線および前記複数本の映像信号線に対向する位置、および前記境界線が通る位置に延在する網目状の遮光膜を有し、
前記遮光膜のうちの、前記境界線が通る位置に延在する部分の前記映像信号線の延在方向に沿った寸法が、前記走査信号線に対向する位置に延在する部分の前記映像信号線の延在方向に沿った寸法とおおむね等しいことを特徴とする請求項６に記載の液晶表示装置。
【請求項８】
前記接続部の幅は、前記対向電極の幅よりも細いことを特徴とする請求項１乃至７のいずれかに記載の液晶表示装置。
【発明の詳細な説明】
【技術分野】
【０００１】
本発明は、液晶表示装置に関し、特に、１つの表示領域を上下に２分割した液晶表示装置に適用して有効な技術に関するものである。
【背景技術】
【０００２】
従来、液晶表示装置には、液晶テレビや、ＰＣ（パーソナル・コンピュータ）に接続する液晶ディスプレイなどがある。前記液晶テレビなどの液晶表示装置は、通常、アクティブマトリクス型と呼ばれる駆動方式で映像や画像（すなわち動画や静止画）を表示している。
【０００３】
前記アクティブマトリクス型の液晶表示装置に用いる液晶表示パネルは、１つの表示領域が、たとえば、ＴＦＴ素子および画素電極を有する画素の集合で設定されている。前記液晶表示パネルは、一対の基板の間に液晶材料が封入された表示パネルであり、前記一対の基板のうちの一方の基板（以下、ＴＦＴ基板と呼ぶ。）は、たとえば、複数本の走査信号線、複数本の映像信号線、複数個の前記ＴＦＴ素子、および複数個の前記画素電極などが配置されている。また、前記一対の基板のうちの他方の基板（以下、対向基板と呼ぶ。）は、たとえば、前記ＴＦＴ基板の前記複数本の走査信号線に対向する位置および前記複数本の映像信号線に対向する位置に延在する網目状の遮光膜や、カラーフィルタなどが配置されている。
【０００４】
また、前記液晶材料中の液晶分子を駆動させる際に前記画素電極と対になる対向電極（共通電極と呼ぶこともある。）は、前記液晶分子の駆動方法により、前記ＴＦＴ基板側に配置されていることもあるし、前記対向基板側に配置されていることもある。
【０００５】
また、前記アクティブマトリクス型の液晶表示パネルは、一般に、１つの表示領域において前記走査信号線の延在方向に並んだ複数個の画素のＴＦＴ素子のゲートが共通の１本の走査信号線に接続している。また、前記アクティブマトリクス型の液晶表示パネルは、一般に、１つの表示領域において前記映像信号線の延在方向に並んだ複数個の画素のＴＦＴ素子のドレインが共通の１本の映像信号線に接続している。
【０００６】
また、前記液晶テレビなどの液晶表示装置は、近年、大画面化、すなわち使用する液晶表示パネルにおける１つの表示領域の大面積化が進んでいる。また、前記液晶テレビなどの液晶表示装置は、近年、高精細化、すなわち使用する液晶表示パネルにおける１つの表示領域を構成する画素の数の増大化が進んでいる。そのため、従来の一般的な液晶表示装置、たとえば、１つの表示領域の左端側のみに走査信号線の信号入力端があり、上端側のみに映像信号線の信号入力端がある液晶表示装置では、走査信号線や映像信号線の信号入力端からの距離が近い画素と遠い画素とで、各信号線に加わった信号の遅延量の差が大きくなり、画質が低下しやすくなる。
【０００７】
上記のような画質の低下を防ぐために、近年の液晶表示装置は、たとえば、１つの表示領域の左端側および右端側に走査信号線の信号入力端を設けたり、上端側および下端側に映像信号線の信号入力端を設けたりすることがある。
【０００８】
また、前記１つの表示領域の上端側および下端側に映像信号線の信号入力端を設ける場合は、たとえば、前記１つの表示領域を走査信号線の延在方向に沿った境界線で上下に分割し、前記境界線の上側にある第１の表示領域に属する画素のＴＦＴ素子のドレインに接続する映像信号線と、前記境界線の下側にある第２の表示領域に属する画素のＴＦＴ素子のドレインに接続する映像信号線とを電気的に絶縁させておく。このようにすると、たとえば、前記第１の表示領域と前記第２の表示領域のそれぞれに、並行して映像や画像を表示させることができる。そのため、映像や画像の１フレームの表示にかかる時間が従来の半分になり、表示の高速化への対応が容易になる。
【０００９】
しかしながら、前記１つの表示領域を上下に２分割した場合、たとえば、前記境界線部分で画質が大きく変化して、画質が低下することがある。そのため、前記１つの表示領域を上下に２分割して、前記第１の表示領域と前記第２の表示領域に並行して映像や画像を表示させる液晶表示装置では、前記境界線部分で生じる画質の低下を防ぐ方法が種々提案されている（たとえば、特許文献１または特許文献２を参照。）。
【特許文献１】特開平１０−２６８２６１号公報
【特許文献２】特開平８−２２０２８号公報
【発明の開示】
【発明が解決しようとする課題】
【００１０】
しかしながら、従来の前記アクティブマトリクス型の液晶表示パネルは、一般に、１つの表示領域において前記映像信号線の延在方向に並んだ複数個の画素のＴＦＴ素子のドレインが共通の１本の映像信号線に接続している。また、前記１つの表示領域を上下に２分割した液晶表示パネルの場合は、一般に、前記第１の表示領域において前記映像信号線の延在方向に並んだ複数個の画素のＴＦＴ素子のドレインは、共通の１本の映像信号線に接続しており、前記第２の表示領域において前記映像信号線の延在方向に並んだ複数個の画素のＴＦＴ素子のドレインは、別の共通の１本の映像信号線に接続している。
【００１１】
そのため、前記液晶表示装置を、たとえば、ドット反転と呼ばれる反転方法、すなわち、走査信号線の延在方向で隣接する２つの画素の極性が互いに反対の極性であり、かつ、映像信号線の延在方向で隣接する２つの画素の極性も互いに反対の極性であるような反転方法で駆動させる場合、各映像信号線に加える信号を生成するドライバ回路の負荷が増大し、当該ドライバ回路の発熱量が増大する。そのため、従来のドット反転で駆動させる液晶表示装置は、たとえば、前記ドライバ回路が故障しやすくなる、誤動作が起こりやすくなるという問題があった。
【００１２】
なお、前記極性というのは、映像信号線から画素電極に書き込まれた信号（階調電圧）の電位と対向電極の電位との関係を表しており、一般に、画素電極の電位が対向電極の電位よりも高い場合を正極性と呼び、画素電極の電位が対向電極の電位よりも低い場合を負極性と呼ぶ。
【００１３】
また、前記液晶表示装置を、たとえば、カラム反転と呼ばれる反転方法。すなわち、走査信号線の延在方向で隣接する２つの画素の極性が互いに反対の極性であり、かつ、映像信号線の延在方向で隣接する２つの画素の極性は互いに同じ極性であるような反転方法で駆動させる場合、各映像信号線に加える信号を生成するドライバ回路の負荷は、ドット反転の場合に比べて小さくなる。しかしながら、前記映像信号線の延在方向に並んだ複数個の画素の極性が、すべて同じ極性になるので、たとえば、縦スミアやフリッカ（縦筋流れ）などと呼ばれる現象が発生し、画質が低下するという問題があった。
【００１４】
本発明の目的は、たとえば、１つの表示領域を２つの領域に分割し、当該２つの領域に並行して映像や画像を表示する液晶表示装置におけるドライバ回路の発熱を抑え、かつ、画質の低下を防ぐことが可能な技術を提供することにある。
【００１５】
本発明の前記ならびにその他の目的と新規な特徴は、本明細書の記述および添付図面によって明らかになるであろう。
【課題を解決するための手段】
【００１６】
本願において開示される発明のうち、代表的なものの概略を説明すれば、以下の通りである。
【００１７】
（１）第１の基板と第２の基板との間に液晶材料を封入した液晶表示パネルを有し、前記第１の基板は、複数本の走査信号線、複数本の映像信号線、複数個のＴＦＴ素子、および複数個の画素電極を有し、前記液晶表示パネルは、前記ＴＦＴ素子および前記画素電極を有する画素の集合で設定される１つの表示領域を有する液晶表示装置であって、前記１つの表示領域は、前記走査信号線の延在方向と一致する境界線により第１の表示領域と第２の表示領域に分割されており、前記第１の表示領域に属する画素の前記ＴＦＴ素子のソースまたはドレインが接続している映像信号線と、前記第２の表示領域に属する画素の前記ＴＦＴ素子のソースまたはドレインが接続している映像信号線とは、電気的に絶縁されており、前記第１の表示領域において前記映像信号線の延在方向に沿って並んだ複数個の画素の列、および前記第２の表示領域において前記映像信号線の延在方向に沿って並んだ複数個の画素の列には、それぞれ、２本の隣接する映像信号線のうちの一方の映像信号線に前記ＴＦＴ素子のソースまたはドレインが接続している画素と、前記２本の隣接する映像信号線のうちの他方の映像信号線に前記ＴＦＴ素子のソースまたはドレインが接続している画素とが、交互に並んでいる液晶表示装置。
【００１８】
（２）前記（１）の液晶表示装置において、前記境界線を挟んで隣接する前記第１の表示領域に属する画素と前記第２の表示領域に属する画素とは、前記第１の基板上における当該各画素の前記ＴＦＴ素子および前記画素電極の配置位置の関係が、前記境界線を対称軸とする線対称の関係になっている液晶表示装置。
【００１９】
（３）前記（２）の液晶表示装置において、前記第１の表示領域を通る複数本の映像信号線、および前記第２の表示領域を通る複数本の映像信号線には、それぞれ、１フレーム期間中、常に同じ極性の信号が加わり、１フレーム期間中に前記第１の表示領域を通る複数本の映像信号線、および前記第２の表示領域を通る複数本の映像信号線に加わる信号は、それぞれ、同じ表示領域において隣接する２本の映像信号線に加わる信号の極性が互いに反対の極性であり、かつ、前記境界線を挟んで対向する２本の映像信号線に加わる信号の極性が互いに反対の極性である液晶表示装置。
【００２０】
（４）前記（１）の液晶表示装置において、前記境界線を挟んで隣接する前記第１の表示領域に属する画素と前記第２の表示領域に属する画素とは、前記第１の基板上における当該各画素の前記ＴＦＴ素子および前記画素電極の配置位置の関係が、前記境界線のうちの当該２つの画素を分割する線分の中心を対称の中心とする点対称の関係になっている液晶表示装置。
【００２１】
（５）前記（４）の液晶表示装置において、前記第１の表示領域を通る複数本の映像信号線、および前記第２の表示領域を通る複数本の映像信号線には、それぞれ、１フレーム期間中、常に同じ極性の信号が加わり、１フレーム期間中に前記第１の表示領域を通る複数本の映像信号線、および前記第２の表示領域を通る複数本の映像信号線に加わる信号は、それぞれ、同じ表示領域において隣接する２本の映像信号線に加わる信号の極性が互いに反対の極性であり、かつ、前記境界線を挟んで対向する２本の映像信号線に加わる信号の極性が同じ極性である液晶表示装置。
【００２２】
（６）前記（１）乃至（５）のいずれかの液晶表示装置において、前記第１の表示領域に属する画素の前記ＴＦＴ素子のゲート、および前記第２の表示領域に属する画素の前記ＴＦＴ素子のゲートは、それぞれ、当該画素の画素電極よりも、前記ＴＦＴ素子のソースまたはドレインが接続している映像信号線の信号入力端側に位置する走査信号線に接続している液晶表示装置。
【００２３】
（７）前記（６）の液晶表示装置において、前記第２の基板は、前記第１の基板の前記複数本の走査信号線および前記複数本の映像信号線に対向する位置、および前記境界線が通る位置に延在する網目状の遮光膜を有し、前記遮光膜のうちの、前記境界線が通る位置に延在する部分の前記映像信号線の延在方向に沿った寸法が、前記走査信号線に対向する位置に延在する部分の前記映像信号線の延在方向に沿った寸法とおおむね等しい液晶表示装置。
【発明の効果】
【００２４】
本発明の液晶表示装置によれば、１つの表示領域を２つの領域に分割し、当該２つの領域に並行して映像や画像を表示しても、前記複数本の映像信号線に加える信号を生成するドライバ回路の発熱を抑えることができる。また、本発明の液晶表示装置によれば、たとえば、縦スミアと呼ばれる現象の発生を抑えることができ、当該縦スミアによる画質の低下を防ぐことができる。
【００２５】
またさらに、本発明の液晶表示装置によれば、前記境界線部分が目立たないようにすることができる。
【発明を実施するための最良の形態】
【００２６】
以下、本発明について、図面を参照して実施の形態（実施例）とともに詳細に説明する。なお、実施例を説明するための全図において、同一機能を有するものは、同一符号を付け、その繰り返しの説明は省略する。
【実施例】
【００２７】
図１（ａ）乃至図１（ｅ）は、本発明による一実施例の液晶表示装置の概略構成を示す模式図である。図１（ａ）は、本実施例の液晶表示装置における液晶表示パネルおよびドライバ回路の概略構成の一例を示す模式平面図である。図１（ｂ）は、液晶表示パネルの表示領域における１つの画素の回路構成の一例を示す模式回路図である。図１（ｃ）は、２分割された表示領域のうちの一方の表示領域の中央付近における画素の配列方法の一例を示す模式回路図である。図１（ｄ）は、１つの表示領域を２分割する境界線を挟んで隣接する２つの画素の配列方法の一例を示す模式回路図である。図１（ｅ）は、１つの表示領域を２分割する境界線を挟んで隣接する２つの画素の配列方法の別の例を示す模式回路図である。なお、図１（ｂ）乃至図１（ｅ）に示したｘ方向およびｙ方向は、それぞれ、図１（ａ）に示したｘ方向およびｙ方向と一致する方向である。また、図１（ｂ）乃至図１（ｅ）において、走査信号線の一端および映像信号線の一端にある三角形は、それぞれ、信号入力端がある方向を表している。
【００２８】
本実施例では、本発明の適用が望まれる液晶表示装置の一例として、液晶テレビのような大画面で高精細な液晶表示装置を挙げる。大画面で高精細な液晶表示装置では、たとえば、図１（ａ）に示すように、液晶表示パネル１の４つの辺１ａ，１ｂ，１ｃ，１ｄに第１のドライバ回路２ａ、第２のドライバ回路２ｂ、第３のドライバ回路２ｃ、および第４のドライバ回路２ｄが取り付けられている。また、液晶表示パネル１の１つの表示領域３は、ＴＦＴ素子および画素電極を有する画素の集合で設定されており、かつ、ｘ方向に延びる境界線ＢＬによって上下に２分割されている。以下の説明では、１つの表示領域３のうちの境界線ＢＬの上にある領域を第１の表示領域３ａと呼び、境界線ＢＬの下にある領域を第２の表示領域３ｂと呼ぶ。
【００２９】
本実施例の液晶表示パネル１は、アクティブマトリクス型であり、図１（ａ）には示していないが、複数本の走査信号線、複数本の映像信号線、複数個のＴＦＴ素子、複数個の画素電極、および対向電極などが配置されている。このとき、複数本の走査信号線は、それぞれがｘ方向に延在しており、かつ、ｙ方向に並んでいる。また、複数本の映像信号線は、それぞれがｙ方向に延在しており、かつ、ｘ方向に並んでいる。またこのとき、第１の表示領域３ａを通る映像信号線と、第２の表示領域３ｂを通る映像信号線は、境界線ＢＬの部分において電気的に絶縁されている。
【００３０】
また、液晶表示パネル１の第１の辺１ａに取り付けられた第１のドライバ回路２ａは、第１の表示領域３ａを通る複数本の映像信号線に加える信号の生成などを行う回路である。また、液晶表示パネル１の第２の辺１ｂに取り付けられた第２のドライバ回路２ｂは、第２の表示領域３ｂを通る複数本の映像信号線に加える信号の生成などを行う回路である。
【００３１】
また、液晶表示パネル１の第３の辺１ｃおよび第４の辺１ｄに取り付けられた第３のドライバ回路２ｃは、第１の表示領域３ａを通る複数本の走査信号線に加える信号の生成などを行う回路である。また、液晶表示パネル１の第３の辺１ｃおよび第４の辺１ｄに取り付けられた第４のドライバ回路２ｄは、第２の表示領域３ｂを通る複数本の走査信号線に加える信号の生成などを行う回路である。
【００３２】
すなわち、本実施例の液晶表示パネル１は、第１のドライバ回路２ａから映像信号線に加える信号および第３のドライバ回路２ｃから走査信号線に加える信号により第１の表示領域３ａの表示を制御し、第２のドライバ回路２ｂから映像信号線に加える信号および第４のドライバ回路２ｄから走査信号線に加える信号により第２の表示領域３ｂの表示を制御する。
【００３３】
第１のドライバ回路２ａ、第２のドライバ回路２ｂ、第３のドライバ回路２ｃ、および第４のドライバ回路２ｄは、それぞれ、たとえば、フレキシブルプリント配線板（インターポーザと呼ぶこともある）にチップ状のドライバＩＣを実装したＣＯＦまたはＴＡＢなどの半導体パッケージである。なお、第１のドライバ回路２ａ、第２のドライバ回路２ｂ、第３のドライバ回路２ｃ、および第４のドライバ回路２ｄは、上記の半導体パッケージに限らず、たとえば、前記チップ状のドライバＩＣ自身であってもよいし、液晶表示パネル１に用いるＴＦＴ基板に走査信号線などとともに形成された回路であってもよい。
【００３４】
また、１つの表示領域３において１つの画素が占有する領域は、２本の隣接する走査信号線と、２本の隣接する映像信号線とで囲まれた領域に相当する。このとき、１つの画素の回路構成は、たとえば、図１（ｂ）に示すような構成になっている。すなわち、１つの画素は、ＴＦＴ素子４、画素容量５（液晶容量と呼ぶこともある。）、および保持容量６（補助容量と呼ぶこともある。）とを有する。画素容量５は、当該１つの画素が有する画素電極、対向電極、および液晶材料で形成される容量であり、保持容量６は、前記画素電極、前記対向電極と同電位の保持容量線ＣＬ、および前記液晶材料とは異なる絶縁層で形成される容量である。また、ＴＦＴ素子４は、ゲートが２本の隣接する走査信号線ＧＬのうちの一方の走査信号線に接続しており、ドレインが２本の隣接する映像信号線ＤＬのうちの一方の映像信号線に接続し、ソースが画素電極に接続している。
【００３５】
また、本実施例の液晶表示パネル１では、第１の表示領域３ａにおける各画素の配列が、たとえば、図１（ｃ）に示したような配列になっている。なお、図１（ｃ）には、第１の表示領域３ａの中央付近における横２画素×縦６画素の計１２個の画素の配列の一例を示している。
【００３６】
すなわち、第１の表示領域３ａにおいて、映像信号線ＤＬの延在方向（ｙ方向）に並んでいる複数個の画素は、２本の隣接する映像信号線ＤＬのうちの一方の映像信号線ＤＬにＴＦＴ素子４のソースが接続している画素と、当該２本の隣接する映像信号線ＤＬのうちの他方の映像信号線ＤＬにＴＦＴ素子４のソースが接続している画素とが交互に並んでいる。またこのとき、各画素のＴＦＴ素子４のゲートは、当該ＴＦＴ素子４のソースに接続している画素電極（画素容量５）よりも、当該ＴＦＴ素子４のドレインに接続している映像信号線ＤＬの信号入力端側にある走査信号線ＧＬに接続させる。
【００３７】
また、１本の走査信号線ＧＬを挟んで隣接する保持容量線ＣＬ同士は、たとえば、ブリッジ配線ＢＲで電気的に接続する。このとき、ブリッジ配線ＢＲは、図１（ｃ）に示すように画素毎に設けてもよいし、数画素おきに設けてもよい。
【００３８】
また、図示は省略するが、第２の表示領域３ｂにおける各画素の配列は、たとえば、図１（ｃ）に示した配列の上下を反転させたような配列にする。
【００３９】
このとき、第１の表示領域３ａにおける各画素の配列と第２の表示領域３ｂにおける各画素の配列は、境界線ＢＬを挟んで隣接する第１の表示領域３ａの画素と第２の表示領域３ｂの画素とが、たとえば、図１（ｄ）に示すような関係になるような配列にする。すなわち、第１の表示領域３ａの画素におけるＴＦＴ素子４および画素電極（画素容量５）の位置関係と、第２の表示領域３ｂの画素におけるＴＦＴ素子４および画素電極（画素容量５）の位置関係とが、境界線ＢＬを対称軸とする線対称の関係になるような配列にする。
【００４０】
なお、第１の表示領域３ａにおける各画素の配列と第２の表示領域３ｂにおける各画素の配列は、境界線ＢＬを挟んで隣接する第１の表示領域３ａの画素と第２の表示領域３ｂの画素とが、たとえば、図１（ｅ）に示すような関係になるような配列になっていてもよい。すなわち、第１の表示領域３ａの画素におけるＴＦＴ素子４および画素電極（画素容量５）の位置関係と、第２の表示領域３ｂの画素におけるＴＦＴ素子４および画素電極（画素容量５）の位置関係とが、境界線ＢＬのうちの当該２つの画素を分割する線分の中心Ｐを対称の中心とする点対称の関係になるような配列にしてもよい。
【００４１】
図２（ａ）および図２（ｂ）は、本実施例の液晶表示パネルの駆動方法を説明するための模式図である。図２（ａ）は、各画素の配列が図１（ｃ）および図１（ｄ）に示したような配列の場合の駆動方法の一例を示す模式図である。図２（ｂ）は、各画素の配列が図１（ｃ）および図１（ｅ）に示したような配列の場合の駆動方法の一例を示す模式図である。なお、図２（ａ）および図２（ｂ）は、それぞれ、境界線部分における横４画素×縦６画素の計２４画素の配列を示している。また、各画素には、ＴＦＴ素子および画素電極のみを示している。また、図２（ａ）および図２（ｂ）に示したｘ方向およびｙ方向は、それぞれ、図１（ａ）に示したｘ方向およびｙ方向と一致する方向である。また、図２（ａ）および図２（ｂ）において、走査信号線の一端および映像信号線の一端にある三角形は、それぞれ、信号入力端がある方向を表している。
【００４２】
本実施例の液晶表示パネル１のようなアクティブマトリクス型の液晶表示パネルにおいて映像や画像を表示する場合、各画素における階調表示は、正極性での表示と負極性での表示とを、あらかじめ定められたフレーム毎（たとえば、１フレーム毎）に切り替えて行う。なお、前記正極性での表示というのは、映像信号線ＤＬから画素電極に書き込まれた信号（階調電圧）の電位が対向電極の電位よりも高い状態での表示であり、前記負極性での表示というのは、映像信号線から画素電極に書き込まれた信号（階調電圧）の電位が対向電極の電位よりも低い状態での表示である。
【００４３】
また、アクティブマトリクス型の液晶表示パネル１において映像や画像を表示する場合、１フレーム期間中における各画素の極性は、たとえば、図２（ａ）に示すように、走査信号線ＧＬの延在方向（ｘ方向）で隣接する２つの画素の極性が互いに反対の極性であり、かつ、映像信号線ＤＬの延在方向（ｙ方向）で隣接する２つの画素の極性も互いに反対の極性であるようにすることが望ましい。このような表示方法は、一般に、ドット反転方式と呼ばれる。
【００４４】
なお、図２（ａ）は、境界線ＢＬを挟んで隣接する第１の表示領域３ａの画素と第２の表示領域３ｂの画素が、図１（ｄ）に示したような線対称の場合を例に挙げている。また、図２（ａ）において、各画素の画素電極ＰＸの中に示した＋（プラス）と−（マイナス）は、＋が正極性であることを表し、−（マイナス）が負極性であることを表している。
【００４５】
このように、各画素の配列が図１（ｃ）および図１（ｄ）に示したような配列の液晶表示パネル１において、ドット反転方式で映像や画像を表示する場合、第１の表示領域３ａを通る複数本の映像信号線ＤＬに加える信号の極性は、２本の隣接する映像信号線ＤＬの極性が互いに反対の極性になるようにすればよい。このとき、１本の映像信号線ＤＬに加える信号の極性は、１フレーム期間中、常に同じ極性でよい。
【００４６】
同様に、第２の表示領域３ｂを通る複数本の映像信号線ＤＬに加える信号の極性についても、２本の隣接する映像信号線ＤＬの極性が互いに反対の極性になるようにすればよい。このときも、１本の映像信号線ＤＬに加える信号の極性は、１フレーム期間中、常に同じ極性でよい。
【００４７】
なお、図２（ａ）に示したような配列の場合、境界線ＢＬを挟んで隣接する、第１の表示領域３ａの画素のＴＦＴ素子４のドレインが接続している映像信号線ＤＬと、第２の表示領域３ｂの画素のＴＦＴ素子４のドレインが接続している映像信号線ＤＬとは、境界線ＢＬを挟んで対向している。そのため、境界線ＢＬを挟んで隣接する当該２つの画素の極性が互いに反対の極性になるようにするには、図２（ａ）に示すように、境界線ＢＬを挟んで対向する、第１の表示領域３ａの映像信号線ＤＬに加える信号の極性と第２の表示領域３ｂの映像信号線ＤＬに加える信号の極性とが互いに反対の極性になるようにすればよい。
【００４８】
また、図２（ａ）に示した各画素の極性は、ある１つのフレームを表示する際の極性の例である。そのため、たとえば、次のフレームを表示する際には、各画素の極性が反対の極性、すなわち正極性の画素は負極性になり、負極性の画素は正極性になる。
【００４９】
また、各画素の配列が図１（ｃ）および図１（ｅ）に示したような配列の液晶表示パネル１でも、ドット反転方式で映像や画像を表示することは可能であり、その場合、各画素の極性および各映像信号線ＤＬに加える信号の極性は、たとえば、図２（ｂ）に示すようになる。すなわち、境界線ＢＬを挟んで隣接する、第１の表示領域３ａの画素の極性と第２の表示領域３ｂの画素の極性とが互いに反対の極性になるようにするには、図２（ｂ）に示すように、境界線ＢＬを挟んで対向する、第１の表示領域３ａの映像信号線ＤＬに加える信号の極性と第２の表示領域３ｂの映像信号線に加える極性とが同じ極性になるようにすればよい。
【００５０】
このとき、第１の表示領域３ａを通る複数本の映像信号線ＤＬに加える信号の極性は、１本の映像信号線ＤＬに加える信号の極性が１フレーム期間中、常に同じ極性であり、かつ、２本の隣接する映像信号線ＤＬの極性が互いに反対の極性になるようにする。同様に、第２の表示領域３ｂを通る複数本の映像信号線ＤＬに加える信号の極性は、１本の映像信号線ＤＬに加える信号の極性が１フレーム期間中、常に同じ極性であり、かつ、２本の隣接する映像信号線ＤＬの極性が互いに反対の極性になるようにする。
【００５１】
このように、本実施例の液晶表示パネル１は、第１のドライバ回路２ａおよび第２のドライバ回路２ｂにおいて、各映像信号線ＤＬに加える信号をカラム反転方式と同様の方法で生成するが、表示領域に表示される映像や画像はドット反転方式で表示される。そのため、ドット反転方式で映像や画像を表示させる際の第１のドライバ回路２ａおよび第２のドライバ回路２ｂの負荷が軽減し、発熱による故障や誤動作を低減できる。また、第１のドライバ回路２ａおよび第２のドライバ回路２ｂにおいてカラム反転方式と同様の方法で生成した信号を各映像信号線ＤＬに加えても、ドット反転方式で映像や画像を表示することができるので、カラム反転方式での表示において問題となる縦スメアなどの発生を防げ、当該縦スメアなどによる画質の低下を防ぐことができる。
【００５２】
また、本実施例の液晶表示パネル１のように、１つの表示領域３を上下に２分割した場合、たとえば、１つの表示領域３に映像または画像の１フレームを表示するときに、第１の表示領域３ａの表示と第２の表示領域３ｂの表示とを並行して行うことができる。そのため、映像または画像の１フレームの表示に要する時間を短縮でき、高速化（たとえば、２４０Ｈｚ駆動）への対応が容易である。
【００５３】
図３（ａ）乃至図３（ｅ）は、本実施例の液晶表示パネルのＴＦＴ基板における画素の概略構成の一例を示す模式図である。図３（ａ）は、ＴＦＴ基板における第１の表示領域３ａの中央付近における画素の平面構成の一例を示す模式平面図である。図３（ｂ）は、図３（ａ）に示したＡ−Ａ’線におけるＴＦＴ基板の断面構成の一例を示す模式平面図である。図３（ｃ）は、図３（ａ）に示したＢ−Ｂ’線におけるＴＦＴ基板の断面構成の一例を示す模式平面図である。図３（ｄ）は、図３（ａ）に示したＣ−Ｃ’線におけるＴＦＴ基板の断面構成の一例を示す模式平面図である。図３（ｅ）は、ＴＦＴ基板における境界線を挟んで隣接する２つの画素の平面構成の一例を示す模式平面図である。なお、図３（ａ）および図３（ｅ）に示したｘ方向およびｙ方向は、それぞれ、図１（ａ）に示したｘ方向およびｙ方向と一致する方向である。
【００５４】
本実施例の液晶表示パネル１は、上記のように、図１（ｃ）および図１（ｄ）に示したような回路構成、または図１（ｃ）および図１（ｅ）に示したような回路構成を有する。そこで、次に、上記のような回路構成を有する液晶表示パネル１が、実際にどのような構成になっているかついて簡単に説明する。なお、以下の説明では、液晶表示パネル１として、画素電極および対向電極がＴＦＴ基板に配置されており、かつ、画素電極と対向電極とが絶縁層を介して積層配置されている横電界駆動方式の液晶表示パネルを例に挙げる。
【００５５】
前記横電界駆動方式の液晶表示パネル１に本発明を適用した場合、ＴＦＴ基板の、第１の表示領域３ａの中央付近にある画素は、たとえば、図３（ａ）乃至図３（ｄ）に示したような構成になっている。まず、ガラス基板などの絶縁基板ＳＵＢの表面には、対向電極ＣＴ、走査信号線ＧＬ、保持容量線ＣＬが配置されている。なお、図３（ａ）乃至図３（ｄ）に示した例では、絶縁基板ＳＵＢの表面に、たとえば、ＩＴＯなどの透明な導電膜の成膜およびエッチングして対向電極ＣＴを形成した後、たとえば、アルミニウムなどの導電膜の成膜およびエッチングをして走査信号線ＧＬおよび保持容量線ＣＬを形成している。しかしながら、これに限らず、たとえば、ＩＴＯ膜およびアルミニウム膜を続けて成膜した後、アルミニウム膜をエッチングして走査信号線ＧＬおよび保持容量線ＣＬを形成し、続けてＩＴＯ膜をエッチングして対向電極ＣＴを形成してもよい。またさらに、たとえば、絶縁基板ＳＵＢの表面にアルミニウム膜の成膜およびエッチングをして走査信号線ＧＬおよび保持容量線ＣＬを形成した後、続けてＩＴＯ膜の成膜およびエッチングをして対向電極ＣＴを形成してもよい。
【００５６】
対向電極ＣＴ、走査信号線ＧＬ、および保持容量線ＣＬの上には、第１の絶縁層ＰＡＳ１を介して、ＴＦＴ素子４の半導体層ＳＣ、映像信号線ＤＬ（ＴＦＴ素子４のドレイン電極ＳＤ１を含む）、およびＴＦＴ素子４のソース電極ＳＤ２が配置されている。第１の絶縁層ＰＡＳ１は、ＴＦＴ素子４のゲート絶縁膜としての機能を有する絶縁層であり、たとえば、シリコン酸化膜またはシリコン窒化膜を成膜して形成する。なお、図３（ｂ）乃至図３（ｄ）に示した例では、半導体層ＳＣや映像信号線ＤＬを形成する面が平坦になるように第１の絶縁層ＰＡＳ１を形成しているが、これに限らず、第１の絶縁層ＰＡＳ１は、たとえば、絶縁基板ＳＵＢの各位置における膜厚がほぼ均一になるように形成してもよい。すなわち、第１の絶縁層ＰＡＳ１は、半導体層ＳＣや映像信号線ＤＬを形成する面に段差があってもよい。
【００５７】
また、半導体層ＳＣは、チャネルが形成される能動層、能動層とドレイン電極ＳＤ１との間に介在するドレイン拡散層、能動層とソース電極ＳＤ２との間に介在するソース拡散層とで構成されている。また、ドレイン電極ＳＤ１は、映像信号線ＤＬと一体に形成されている。また、ドレイン電極ＳＤ１およびソース電極ＳＤ２はその一部分が半導体層ＳＣに乗り上げている。
【００５８】
半導体層ＳＣ、映像信号線ＤＬ（ドレイン電極ＳＤ１を含む）、およびソース電極ＳＤ２を形成するときには、たとえば、まず、第１の絶縁層ＰＡＳ１の表面全体に前記能動層に用いる第１の半導体膜と、前記ドレイン拡散層および前記ソース拡散層に用いる第２の半導体膜を成膜し、エッチングして島状の能動層を形成する。このとき、前記能動層の上にある前記第２の半導体膜は、まだ前記ドレイン拡散層と前記ソース拡散層とに分離されていない。次に、たとえば、アルミニウムなどの導電膜の成膜およびエッチングをして映像信号線ＤＬ（ドレイン電極ＳＤ１を含む）およびソース電極ＳＤ２を形成する。その後、ドレイン電極ＳＤ１およびソース電極ＳＤ２をマスクにして前記第２の半導体層をエッチングし、前記ドレイン拡散層と前記ソース拡散層に分離する。
【００５９】
半導体層ＳＣ、映像信号線ＤＬ（ドレイン電極ＳＤ１を含む）、およびソース電極ＳＤ２の上には、第２の絶縁層ＰＡＳ２を介して、画素電極ＰＸおよびブリッジ配線ＢＲが配置されている。第２の絶縁層ＰＡＳ２は、たとえば、シリコン窒化膜、あるいはその他の無機絶縁膜または有機絶縁膜を成膜して形成する。このとき、第２の絶縁層ＰＡＳ２は、１種類の絶縁膜であってもよいし、２種類以上の絶縁膜が積層されていてもよい。なお、図３（ｂ）乃至図３（ｄ）に示した例では、画素電極ＰＸおよびブリッジ配線ＢＲを形成する面が平坦になるように第２の絶縁層ＰＡＳ２を形成しているが、これに限らず、第２の絶縁層ＰＡＳ２は、たとえば、絶縁基板ＳＵＢの各位置における膜厚がほぼ均一になるように形成してもよい。すなわち、第２の絶縁層ＰＡＳ２は、画素電極ＰＸおよびブリッジ配線ＢＲを形成する面に段差があってもよい。
【００６０】
また、第２の絶縁層ＰＡＳを形成するときには、たとえば、ソース電極ＳＤ２の上、対向電極ＣＴの角部、および保持容量線ＣＬの上などにスルーホールＴＨ１，ＴＨ２，ＴＨ３を形成しておく。
【００６１】
また、画素電極ＰＸおよびブリッジ配線ＢＲは、たとえば、ＩＴＯなどの透明な導電膜の成膜およびエッチングをして形成する。このとき、画素電極ＰＸは、ＴＦＴ素子４のソース電極ＳＤ２とスルーホールＴＨ１により接続される。またこのとき、画素電極ＰＸは、一般に櫛歯状と呼ばれる平面形状になっており、平面でみて対向電極ＣＴと重なる部分に複数本のスリットが形成される。
【００６２】
また、ブリッジ配線ＢＲは、走査信号線ＧＬと交差するように配置され、当該走査信号線ＧＬを挟んで隣接する２つの対向電極ＣＴのうちの一方の対向電極ＣＴとスルーホールＴＨ２により接続され、他方の対向電極ＣＴ（保持容量線ＣＬ）とスルーホールＴＨ３により電気的に接続される。
【００６３】
画素電極ＰＸおよびブリッジ配線ＢＲの上には、配向膜ＯＲＩが配置される。
【００６４】
またこのとき、第１の表示領域３ａにおいて映像信号線ＤＬの延在方向（ｙ方向）で隣接する２つの画素の平面レイアウトは、たとえば、左右を反転させた関係になっている。なお、図３（ａ）に示した例では、画素電極ＰＸのスリットの向きも左右を反転させた関係になっているが、これに限らず、スリットの向きが同じ向きになっていてもよい。
【００６５】
なお、当然のことではあるが、各走査信号線ＧＬの間隔ＧＬｓは、すべて等間隔である。
【００６６】
また、図示は省略するが、第２の表示領域３ｂの中央付近における画素の平面レイアウトは、たとえば、図３（ａ）に示した平面レイアウトの上下を反転させたようなレイアウトになる。
【００６７】
一方、境界線ＢＬを挟んで隣接する、第１の表示領域３ａの画素と第２の表示領域３ｂの画素の平面レイアウトは、たとえば、図３（ｅ）のようになる。なお、図３（ｅ）は、当該２つの画素の配列が図１（ｄ）に示したような線対称の関係の場合の平面レイアウトである。
【００６８】
このとき、当然のことではあるが、第１の表示領域３ａにおいて境界線ＢＬに最も近い走査信号線ＧＬと境界線ＢＬとの間隔（距離）と、第２の表示領域３ｂにおいて境界線ＢＬに最も近い走査信号線ＧＬと境界線ＢＬとの間隔（距離）とは、第１の表示領域３ａにおける２本の隣接する走査信号線ＧＬの間隔ＧＬｓと等間隔である。
【００６９】
また、境界線ＢＬが通る部分には、走査信号線ＧＬおよび保持容量線ＣＬが配置されていないので、第１の表示領域３ａの画素の対向電極ＣＴと第２の表示領域３ｂの画素の対向電極ＣＴとは、直接接続、すなわち一体に形成することが可能であり、ブリッジ配線ＢＲによる接続が不要である。このとき、第１の表示領域３ａの画素の対向電極ＣＴと第２の表示領域３ｂの画素の対向電極ＣＴとを接続する部分は、たとえば、図３（ｅ）に示したように、対向電極ＣＴとして機能する部分よりも細くすることが望ましい。このようにすることで、第１の表示領域３ａの画素の対向電極ＣＴと第２の表示領域３ｂの画素の対向電極ＣＴとの接続部における配線抵抗と、ブリッジ配線ＢＲを介した対向電極ＣＴ間の接続部における配線抵抗とをおおむね等しくすることができ、各画素の対向電極ＣＴの電位を安定化させることができる。
【００７０】
なお、本実施例では、本発明を適用した液晶表示パネルのＴＦＴ基板の構成の一例として、図３（ａ）乃至図３（ｅ）に示したような構成を挙げたが、これに限らず、本発明は、種々の構成のＴＦＴ基板に適用できる。
【００７１】
図４（ａ）および図４（ｂ）、図５（ａ）および図５（ｂ）は、本実施例の液晶表示パネルにおける別の作用効果の一例を説明するための模式図である。図４（ａ）は、液晶表示パネルを対向基板側からみたときの第１の表示領域３ａの中央付近における画素の平面構成の一例を示す模式平面図である。図４（ｂ）は、図４（ａ）に示したＤ−Ｄ’線における液晶表示パネルの断面構成の一例を示す模式平面図である。図５（ａ）は、液晶表示パネルを対向基板側からみたときの境界線を挟んで隣接する２つの画素の平面構成の一例を示す模式平面図である。図５（ｂ）は、図５（ａ）に示したＥ−Ｅ’線における液晶表示パネルの断面構成の一例を示す模式平面図である。なお、図４（ａ）および図４（ｂ）、図５（ａ）および図５（ｂ）には、図３（ａ）乃至図３（ｅ）に示した構成のＴＦＴ基板を用いた液晶表示パネルにおける平面構成および断面構成の一例を示している。また、図４（ａ）は、図３（ａ）に示した領域と同じ領域を対向基板側からみた平面図を示しており、図５（ａ）は、図３（ｅ）に示した領域と同じ領域を対向基板側からみた平面図を示している。また、図４（ｂ）および図５（ｂ）は、偏光板や位相差板などを省略している。また、図４（ａ）および図５（ａ）に示したｘ方向およびｙ方向は、それぞれ、図１（ａ）に示したｘ方向およびｙ方向と一致する方向である。
【００７２】
液晶表示パネル１は、ＴＦＴ基板７と対向基板８の間に液晶材料９を封入した表示パネルであり、ＴＦＴ基板７は、たとえば、図３（ａ）乃至図３（ｅ）に示したような構成になっている。このとき、対向基板８は、たとえば、図４（ａ）および図４（ｂ）に示すように、ガラス基板などの絶縁基板ＳＵＢの表面（ＴＦＴ基板７と対向する面）に、遮光膜（ブラックマトリクス）ＢＭ、カラーフィルタＣＦ、オーバーコート層ＯＣ、配向膜ＯＲＩなどが配置されている。
【００７３】
遮光膜ＢＭは、遮光性の高い導電膜または絶縁膜で形成されており、表示領域３における平面形状は、一般に、走査信号線ＧＬと対向する位置および映像信号線ＤＬと対向する位置に延在する網目状になっている。このとき、遮光膜ＢＭのうちの、走査信号線ＧＬと対向する位置に延在している各部分は、走査信号線ＧＬと同じ間隔ＧＬｓで並んでおり、かつ、映像信号線ＤＬの延在方向（ｙ方向）の寸法（幅）ＢＭｗはおおむね等しい。すなわち、各画素の開口領域（光が透過する領域）のｙ方向の寸法ＯＡｙはおおむね等しい。
【００７４】
ところが、本実施例の液晶表示パネル１の場合、境界線ＢＬを挟んで隣接する第１の表示領域３ａの画素と第２の表示領域３ｂの画素の間（すなわち境界線ＢＬ上）には、たとえば、図３（ｅ）に示したように、走査信号線ＧＬやＴＦＴ素子４が配置されていない。このような液晶表示パネル１の場合、一般に、境界線ＢＬ上には遮光膜ＢＭを延在させる必要がない。
【００７５】
しかしながら、境界線ＢＬ上に遮光膜ＢＭがないと、境界線ＢＬを挟んで隣接する第１の表示領域３ａの画素の開口領域と第２の表示領域３ｂの画素の開口領域は、１つの連続した開口領域になり、当該２つの画素の開口率が、他の画素の開口率よりも大きくなる。そのため、境界部分において、たとえば、輝度の違いなどにより第１の表示領域３ａと第２の表示領域３ｂとの継ぎ目が目立ち、画質が低下する可能性がある。
【００７６】
そこで、本実施例の液晶表示パネルでは、遮光膜ＢＭを形成するときに、たとえば、図５（ａ）および図５（ｂ）に示すように、境界線ＢＬ上にも延在するように形成する。このとき、遮光膜ＢＭのうちの境界線ＢＬと重なる部分は、映像信号線ＤＬの延在方向（ｙ方向）の寸法（幅）が、走査信号線ＧＬと対向する位置に延在する部分のｙ方向の寸法ＢＭｗとおおむね等しくなるようにする。またこのとき、遮光膜ＢＭの境界線ＢＬと重なる部分は、境界線ＢＬを挟んで隣接する第１の表示領域３ａの画素の開口領域および第２の表示領域３ｂの画素の開口領域のｙ方向の寸法が、他の画素の開口領域のｙ方向の寸法ＯＡｙと等しくなるようにする。
【００７７】
このようにすれば、境界線ＢＬを挟んで隣接する２つの画素の開口率が、他の画素の開口率とおおむね等しくなり、輝度の違いなどによる画質の低下を防ぐことができる。
【００７８】
また、本実施例の液晶表示パネル１は、ＴＦＴ基板７における第１の表示領域３ａと第２の表示領域３ｂとの境界部分の構成が、たとえば、図３（ｅ）に示したような構成になっており、境界線ＢＬの周辺には走査信号線ＧＬや保持容量線ＣＬ、ＴＦＴ素子４などが配置されていない。そのため、遮光膜ＢＭの、境界線ＢＬと重なる部分のｙ方向の寸法を、走査信号線ＧＬと対向する部分の寸法ＢＭｗと合わせることは容易である。
【００７９】
以上説明したように、本実施例の液晶表示パネルによれば、たとえば、ドット反転方式で映像や画像を表示する際に、映像信号線に加える信号を生成するドライバ回路の負荷を軽減し、発熱による故障や動作不良を低減できる。また、ドット反転方式で映像や画像を表示することで、縦スメアやフリッカなどの発生を抑えることができ、当該縦スメアなどによる画質の低下を防ぐことができる。
【００８０】
また、本実施例の液晶表示パネルによれば、１つの表示領域を上下に２分割し、それぞれの表示領域に並行して映像や画像を表示する際に、第１の表示領域と第２の表示領域との境界部分（継ぎ目）が目立たないようにすることができる。
【００８１】
以上、本発明を、前記実施例に基づき具体的に説明したが、本発明は、前記実施例に限定されるものではなく、その要旨を逸脱しない範囲において、種々変更可能であることはもちろんである。
【００８２】
たとえば、前記実施例では、本発明を適用した液晶表示パネルの一例として、たとえば、図３（ａ）乃至図３（ｅ）に示したような構成のＴＦＴ基板を有する液晶表示パネルを挙げている。しかしながら、本発明は、これに限らず、他の構成の液晶表示パネルにも適用可能であることはもちろんである。すなわち、本発明は、たとえば、画素電極および対向電極がＴＦＴ基板側に配置されており、かつ、絶縁層の同一面上に並べて配置されている液晶表示パネルにも適用できる。また、本発明は、画素電極がＴＦＴ基板側に配置され、対向電極が対向基板側に配置されている液晶表示パネルにも適用できる。
【００８３】
また、前記実施例では、液晶表示パネルを例に挙げている。しかしながら、本発明は、液晶表示パネルに限らず、液晶表示パネルと同様の構成および原理で映像や画像を表示する他の表示パネルにも適用可能である。
【図面の簡単な説明】
【００８４】
【図１（ａ）】本実施例の液晶表示装置における液晶表示パネルおよびドライバ回路の概略構成の一例を示す模式平面図である。
【図１（ｂ）】液晶表示パネルの表示領域における１つの画素の回路構成の一例を示す模式回路図である。
【図１（ｃ）】２分割された表示領域のうちの一方の表示領域の中央付近における画素の配列方法の一例を示す模式回路図である。
【図１（ｄ）】１つの表示領域を２分割する境界線を挟んで隣接する２つの画素の配列方法の一例を示す模式回路図である。
【図１（ｅ）】１つの表示領域を２分割する境界線を挟んで隣接する２つの画素の配列方法の別の例を示す模式回路図である。
【図２（ａ）】各画素の配列が図１（ｃ）および図１（ｄ）に示したような配列の場合の駆動方法の一例を示す模式図である。
【図２（ｂ）】各画素の配列が図１（ｃ）および図１（ｅ）に示したような配列の場合の駆動方法の一例を示す模式図である。
【図３（ａ）】ＴＦＴ基板における第１の表示領域３ａの中央付近における画素の平面構成の一例を示す模式平面図である。
【図３（ｂ）】図３（ａ）に示したＡ−Ａ’線におけるＴＦＴ基板の断面構成の一例を示す模式平面図である。
【図３（ｃ）】図３（ａ）に示したＢ−Ｂ’線におけるＴＦＴ基板の断面構成の一例を示す模式平面図である。
【図３（ｄ）】図３（ａ）に示したＣ−Ｃ’線におけるＴＦＴ基板の断面構成の一例を示す模式平面図である。
【図３（ｅ）】ＴＦＴ基板における境界線を挟んで隣接する２つの画素の平面構成の一例を示す模式平面図である。
【図４（ａ）】液晶表示パネルを対向基板側からみたときの第１の表示領域３ａの中央付近における画素の平面構成の一例を示す模式平面図である。
【図４（ｂ）】図４（ａ）に示したＤ−Ｄ’線における液晶表示パネルの断面構成の一例を示す模式平面図である。
【図５（ａ）】液晶表示パネルを対向基板側からみたときの境界線を挟んで隣接する２つの画素の平面構成の一例を示す模式平面図である。
【図５（ｂ）】図５（ａ）に示したＥ−Ｅ’線における液晶表示パネルの断面構成の一例を示す模式平面図である。
【符号の説明】
【００８５】
１…液晶表示パネル  ２ａ…第１のドライバ回路  ２ｂ…第２のドライバ回路  ２ｃ…第３のドライバ回路  ２ｄ…第４のドライバ回路  ３…１つの表示領域  ３ａ…第１の表示領域  ３ｂ…第２の表示領域  ４…ＴＦＴ素子  ５…画素容量  ６…保持容量  ７…ＴＦＴ基板  ８…対向基板  ９…液晶材料  ＧＬ…走査信号線  ＤＬ…映像信号線  ＣＬ…保持容量線  ＢＲ…ブリッジ配線  ＳＵＢ…絶縁基板  ＣＴ…対向電極  ＰＡＳ１…第１の絶縁層  ＳＣ…半導体層  ＳＤ１…ドレイン電極  ＳＤ２…ソース電極  ＰＡＳ２…第２の絶縁層  ＰＸ…画素電極  ＯＲＩ…配向膜  ＢＭ…遮光膜  ＣＦ…カラーフィルタ  ＯＣ…オーバーコート層
【図１（ａ）】
0005398897.tif 000002
【図１（ｂ）】
0005398897.tif 000003
【図１（ｃ）】
0005398897.tif 000004
【図１（ｄ）】
0005398897.tif 000005
【図１（ｅ）】
0005398897.tif 000006
【図２（ａ）】
0005398897.tif 000007
【図２（ｂ）】
0005398897.tif 000008
【図３（ａ）】
0005398897.tif 000009
【図３（ｂ）】
0005398897.tif 000010
【図３（ｃ）】
0005398897.tif 000011
【図３（ｄ）】
0005398897.tif 000012
【図３（ｅ）】
0005398897.tif 000013
【図４（ａ）】
0005398897.tif 000014
【図４（ｂ）】
0005398897.tif 000015
【図５（ａ）】
0005398897.tif 000016
【図５（ｂ）】
0005398897.tif 000017